(57)【要約】【課題】周囲を汚さず、作業性が良く、安全性の高いストレーナ洗浄装置を提供する。【解決手段】ストレーナＳを収納できる大きさで、周囲全体を閉鎖した洗浄槽１０と、洗浄槽１０の周端部に垂直状に回転自在に設けられ、ハンドル２１が取り付けられた回転バー２０と、洗浄槽１０の中央下部に、ストレーナＳを上載すべく回転自在に設けられ、回転バー２０と同期して回転する台座３０と、回転バー２０に取り付けられ、台座３０に上載されたストレーナＳに洗浄液Ｌを噴射する噴射ノズル４１を設けたノズル体４０と、洗浄槽１０の外に設けられたポンプ５０とで構成する。回転バー２０を回転させ、ストレーナＳを台座３０を介して回転させながら、洗浄槽１０の底部に収納した洗浄液Ｌを、ポンプ５０で循環して噴射ノズル４１から噴射し、ストレーナＳを洗浄する。【選択図】        図１
2006239633.tif 000002
【特許請求の範囲】
【請求項１】
火力発電所で重油を濾過するために使用されたストレーナに付着した重油を洗浄するストレーナ洗浄装置であって、
前記ストレーナを収納できる大きさで、周囲全体を閉鎖した洗浄槽と、
前記洗浄槽の周端部に垂直状に回転自在に設けられ、ハンドルが取り付けられた回転バーと、
前記洗浄槽の中央下部に、前記ストレーナを上載すべく回転自在に設けられ、前記回転バーと第一連動部材によって連動され、該回転バーと同期して回転する台座と、
前記回転バーに取り付けられ、前記台座に上載されたストレーナに洗浄液を噴射する噴射ノズルを設けたノズル体と、
前記洗浄槽の外に設けられ、吸込口を前記洗浄槽の底部に連通し、吐出口を前記ノズル体に連通したポンプと、で構成され、
前記回転バーを回転させることによって、前記ストレーナを台座を介して回転させながら、前記洗浄槽の底部に収納した洗浄液を、前記ポンプで循環して前記噴射ノズルから噴射し、前記ストレーナを洗浄することを特徴とするストレーナ洗浄装置。
【請求項２】
前記回転バーの近傍に、外周面に螺条を刻設し、前記回転バーと第二連動部材によって同期して回転する連動バーを垂直状に設け、
前記ノズル体を前記連動バーに螺合し、
前記回転バーを回転させることによって、前記ノズル体を昇降動させることを特徴とする請求項１に記載のストレーナ洗浄装置。
【請求項３】
前記連動バーを、前記回転バーを軸として水平方向に回動自在に取り付けるとともに、前記噴射ノズルを、水平方向に回動自在に設けて、前記噴射ノズルを、前記ストレーナに対して接離自在としたことを特徴とする請求項１または２に記載のストレーナ洗浄装置。
【請求項４】
前記洗浄槽の、前記台座より下位に水平方向に隔壁を設け、該洗浄槽の底部に前記洗浄液を収納する収納室を形成したことを特徴とする請求項１乃至３のうちいずれか一つに記載のストレーナ洗浄装置。
【請求項５】
前記ハンドルに代えて動力伝達部材を設け、前記回転バーを動力で回転させることを特徴とする請求項１乃至４のうちいずれか一つに記載のストレーナ洗浄装置。
【発明の詳細な説明】
【技術分野】
【０００１】
本発明は、火力発電所で使用する重油のストレーナ（濾過器）を洗浄する装置に関するものである。
【背景技術】
【０００２】
火力発電所では重油を濾過するためにストレーナを使用している。このストレーナは定期的に洗浄する必要があるが、従来、その洗浄は、加温した灯油または軽油に浸漬した後、周辺をシートで囲んだ洗浄場所において、防護具を身に付けた作業員による人手で直接蒸気を吹き付けて行っている。
【０００３】
なお、エンジンや空調機用のエアーフィルターを洗浄する装置はこれまで創案されているが（例えば、特許文献１、２参照）、重油用のストレーナを洗浄する装置はこれまで存在しない。
【特許文献１】特開２０００−３３４２３３号公報
【特許文献２】特開平８−１８２９０７号公報
【発明の開示】
【発明が解決しようとする課題】
【０００４】
しかしながら、従来のストレーナを洗浄する手段には、次のような問題がある。
（１）洗浄中に、重油や蒸気が飛散して周囲を汚し、その清掃作業が厄介である。
（２）洗浄を直接人手で行い、洗浄場所の周囲をシートで囲ったり、作業員が防護具を着用するなどの必要があるため、作業性が悪い。
（３）灯油や軽油を加温する必要があるため、発火のおそれがあり、危険を伴うと共に、常時監視する必要がある。
（４）ストレーナを洗浄場所まで搬送する必要があるので、周辺を汚し、作業性も悪い。
【０００５】
そこで、本発明の目的とするところは、周囲を汚さず、作業性が良く、さらに安全性の高いストレーナ洗浄装置を提供することにある。
【課題を解決するための手段】
【０００６】
上記の目的を達成するために、本発明の請求項１に記載のストレーナ洗浄装置（１）は、火力発電所で重油を濾過するために使用されたストレーナ（Ｓ）に付着した重油を洗浄するストレーナ洗浄装置であって、前記ストレーナ（Ｓ）を収納できる大きさで、周囲全体を閉鎖した洗浄槽（１０）と、前記洗浄槽（１０）の周端部に垂直状に回転自在に設けられ、ハンドル（２１）が取り付けられた回転バー（２０）と、前記洗浄槽（１０）の中央下部に、前記ストレーナ（Ｓ）を上載すべく回転自在に設けられ、前記回転バー（２０）と第一連動部材（３１）によって連動され、当該回転バー（２０）と同期して回転する台座（３０）と、前記回転バー（２０）に取り付けられ、前記台座（３０）に上載されたストレーナ（Ｓ）に洗浄液Ｌを噴射する噴射ノズル（４１）を設けたノズル体（４０）と、前記洗浄槽（１０）の外に設けられ、吸込口（５１）を前記洗浄槽（１０）の底部に連通し、吐出口（５２）を前記ノズル体（４０）に連通したポンプ（５０）と、で構成され、前記回転バー（２０）を回転させることによって、前記ストレーナ（Ｓ）を台座（３０）を介して回転させながら、前記洗浄槽（１０）の底部に収納した洗浄液（Ｌ）を、前記ポンプ（５０）で循環して前記噴射ノズル（４１）から噴射し、前記ストレーナ（Ｓ）を洗浄することを特徴とする。
【０００７】
また、請求項２に記載のストレーナ洗浄装置（１）は、前記回転バー（２０）の近傍に、外周面に螺条（６１）を刻設し、前記回転バー（２０）と第二連動部材（６２）によって同期して回転する連動バー（６０）を垂直状に設け、前記ノズル体（４０）を前記連動バー（６０）に螺合し、前記回転バー（２０）を回転させることによって、前記ノズル体（４０）を昇降動させることを特徴とする。
【０００８】
また、請求項３に記載のストレーナ洗浄装置（１）は、前記連動バー（６０）を、前記回転バー（２０）を軸として水平方向に回動自在に取り付けると共に、前記噴射ノズル（４１）を水平方向に回動自在に設け、前記噴射ノズル（４１）を、前記ストレーナ（Ｓ）に対して接離自在としたことを特徴とする。
【０００９】
さらに、請求項４に記載のストレーナ洗浄装置（１）は、前記洗浄槽（１０）の、前記台座（３０）より下位に水平方向に隔壁（１１）を設け、当該洗浄槽（１０）の底部に前記洗浄液（Ｌ）を収納する収納室（１２）を形成したことを特徴とする。この隔壁（１１）あるいは隔壁（１１）と洗浄槽（１０）との間には、洗浄液（Ｌ）が通過できる開口部を形成しておく。
【００１０】
またさらに、請求項５に記載のストレーナ洗浄装置（１）は、前記ハンドル（２１）に代えて動力伝達部材を設け、前記回転バー（２０）を動力で回転させることを特徴とする。
【００１１】
なお、カッコ内の記号は、図面および後述する発明を実施するための最良の形態に記載された対応要素または対応事項を示す。
【発明の効果】
【００１２】
本発明の請求項１に記載のストレーナ洗浄装置によれば、周囲全体を閉鎖した洗浄槽、ハンドルを取り付けた回転バー、回転バーと同期して回転する台座、ストレーナを洗浄するノズル本体、および洗浄槽の底部に収納した洗浄液を循環するポンプで構成したので、以下の効果を発揮する。
【００１３】
（１）周囲全体を閉鎖した洗浄槽の中で洗浄するので、重油や洗浄液が周囲に飛散しない。従って、周囲を汚さず、また、清掃作業も容易である。
（２）洗浄は、洗浄槽の中で、ポンプから供給する洗浄液を噴射ノズルから、回転しているストレーナに噴射することによって機械的に行うので、洗浄効率が高い。また、洗浄場所を周囲をシートで囲ったり、作業員が保護具を着用する必要がない。従って、作業性が良い。
（３）灯油や軽油を使用しないので、それらを加温する必要もない。従って、安全であり、監視の必要もない。
（４）ストレーナ洗浄装置を搬送車に載せて搬送することで、重油が付着しているストレーナを洗浄場所まで運ぶ必要がない。従って、周辺を汚さず、作業性にも優れる。
【００１４】
また、請求項２に記載の発明によれば、請求項１に記載の発明の作用効果に加えて、回転バーを回転させることによって、ノズル体を昇降動させるので、ストレーナの上から下まで満遍なく洗浄することができる。従って、作業性がさらに向上する。
【００１５】
また、請求項３に記載の発明によれば、噴射ノズルをストレーナに対して接離自在としたので、ストレーナの大きさ（径）に対応して噴射ノズルを前進または後退させて対応することができる。従って、大きさの異なる複数種のストレーナを効果的に洗浄することができる。
【００１６】
さらに、請求項４に記載の発明によれば、洗浄槽に隔壁を設けて洗浄液の収納室を設けたので、例えば、当該装置を搬送中に洗浄液が飛散してノズル体などの部材に不要に付着するのを防ぐことができる。
【００１７】
またさらに、請求項５に記載の発明によれば、ハンドルに代えて動力伝達部材を設け、回転バーを動力で回転させるので、洗浄作業がさらに容易となり、作業性をより高めることができる。
【発明を実施するための最良の形態】
【００１８】
図１乃至図４を参照して、本発明の実施形態に係るストレーナ洗浄装置１について説明する。図１は本発明の実施形態に係るストレーナ洗浄装置１を示す斜視図である。図２は、図１のＡ−Ａ線断面図であり、図３は正面図である。図４は、そのノズル体の動きを示す平面図である。
このストレーナ洗浄装置１は、火力発電所で重油を濾過するために使用され、その重油が大量に付着したストレーナＳを洗浄する装置であり、洗浄槽１０、回転バー２０、連動バー６０、台座３０、ノズル体４０およびポンプ５０で構成される。
【００１９】
洗浄槽１０は、ストレーナＳを収納できる大きさの直方体形状で、周囲全体を透明な壁によって閉鎖している。また、少なくとも、壁の一つを開閉自在な扉とし、下端部に汚れた洗浄液Ｌを排出するための排出口１３を設けている。この洗浄槽１０は、トラックなどの搬送車に載せることのできる大きさである。
【００２０】
回転バー２０は、洗浄槽１０の周端角部に垂直状に回転自在に設けられ、その上端部を洗浄槽１０の上面から突出させおり、その突出部分に手動用のハンドル２１を取り付けている。連動バー６０は、回転バー２０の近傍に垂直状に設けられ、その外周面に螺条６１を刻設しており、回転バー２０と第二連動部材（歯車とチェーン）６２によって連動され、当該回転バー２０と同期して回転する。
【００２１】
台座３０は、洗浄槽１０の中央下部に回転自在に設けられ、ストレーナＳを上載する。この台座３０は、回転バー２０と第一連動部材（歯車とチェーン）３１によって、回転軸３２を介して連動され、当該回転バー２０と同期して回転する。ノズル体４０は、その基部４２が回転バー２０に上下動自在に嵌装され、また、その中間部４３が連動バー６０に螺合している。また、先端部に、台座３０に上載されたストレーナＳに洗浄液Ｌを噴射する噴射ノズル４１を取り付けている。
【００２２】
ポンプ５０は、洗浄槽１０の外に設けられ、吸込口５１を洗浄槽１０の底部に第一パイプ５３で連通し、吐出口５２を噴射ノズル４１に第二パイプ５４で連通している。
【００２３】
なお、本実施形態では、連動バー６０を、回転バー２０を軸としてに水平方向に回動自在に取り付けている。この取り付けは、連動バー６０に取り付けたノズル体４０の基部を、回転バー２０に回転自在に嵌装することによって行っている。また、噴射ノズル４１を、水平方向に回動自在に取り付けている。この取り付けは、例えば、噴射ノズル４１と中間部４３との間に継手４４を介在させることによって行うことができる。
【００２４】
また、洗浄槽１０の台座３０より下位に水平方向に隔壁１１を設け、当該洗浄槽１０の底部に洗浄液Ｌを収納する収納室１２を形成している。また、第一パイプ５３にフィルター５５を介在させ、洗浄液Ｌの汚れを除去している。
【００２５】
このストレーナ洗浄装置１は、次のように作動する。
まず、当該装置１をトラックなどの搬送車に載せ、洗浄の必要なストレーナＳがある場所まで搬送する。この際、洗浄槽１０には隔壁１１を設けているので、収納室１２に収納されている洗浄液Ｌが飛散して、ノズル体４０などの部材に不要に付着することがない。
次に、洗浄槽１０の扉を開放して、重油が付着したストレーナＳを台座３０に載せ、扉を閉める。
続いて、連動バー６０および噴射ノズル４１を水平方向に回動して前後方向に伸縮させ、ストレーナＳとの適正距離を確保する。
【００２６】
そして、回転バー２０を、そのハンドル２１を回すことによって回転させ、ストレーナＳを台座３０を介して回転させる。同時に、ポンプ５０によって、洗浄槽１０の底部に収納している洗浄液Ｌを循環して噴射ノズル４１からストレーナＳに噴射し、当該ストレーナＳを洗浄する。
このとき、回転バー２０が回転することによって連動バー６０が同期して回転するので、その連動バー６０に螺合しているノズル体４０は、上または下方向に移動する。これにより、回転するストレーナＳの上から下まで満遍なく洗浄することができる。なお、ノズル体４０が上限または下限位置まで達すると、ハンドル２１の回転方向を変えて、逆方向に移動させる。
【００２７】
なお、この火力発電所で使用するストレーナＳは、筒状で、その内側から外側に向かって重油を送って濾過するので、本実施形態に係る装置１で、洗浄液Ｌをその外側から内側に向かって噴射することによって、不純物を押し戻すようにして効果的に除去することができる。
【００２８】
また、このストレーナ洗浄装置１は、収納室１２にシーズヒーターとサーモスタット用感温器を設置することにより、洗浄液Ｌの温度調整を行うことができる。さらに、洗浄液Ｌとして、不燃性で非危険物扱いである鉱物油洗浄剤や従来技術において使用している蒸気等、あらゆるものを必要に応じて噴霧することができる。
【図面の簡単な説明】
【００２９】
【図１】本発明の実施形態に係るストレーナ洗浄装置を示す斜視図である。
【図２】図１のＡ−Ａ線断面図である。
【図３】図１に示すストレーナ洗浄装置の正面図である。
【図４】図１に示すストレーナ洗浄装置におけるノズル体の動きを示す平面図である。
【符号の説明】
【００３０】
１      ストレーナ洗浄装置
１０      洗浄槽
１１      隔壁
１２      収納室
１３      排出口
２０      回転バー
２１      ハンドル
３０      台座
３１      第一連動部材
３２      回転軸
４０      ノズル体
４１      噴射ノズル
４２      基部
４３      中間部
４４      継手
５０      ポンプ
５１      吸込口
５２      吐出口
５３      第一パイプ
５４      第二パイプ
５５      フィルター
６０      連動バー
６１      螺条
６２      第二連動部材
Ｓ      ストレーナ
Ｌ      洗浄液
【図１】
2006239633.tif 000003
【図２】
2006239633.tif 000004
【図３】
2006239633.tif 000005
【図４】
2006239633.tif 000006